(57)【要約】【課題】再使用不可能な安全な注射器のプランジャー改良構造を提供する。【解決手段】注射器１のプランジャー２０は、主に、プランジャー２０の押圧頭部２２の前端に棒状のフック体２３を一体成型する。棒状のフック体２３の主体部２３１と圧縮変形部２３２は外方に拡張状で、圧縮変形部が横向けに受力する時、圧縮変形部は、フック体の主体部２３１と緊密依存形態をなし、針保持部３１の後端は大きい収容部３４を形成し、常態下で、フック体は収容孔に挿入される時は圧縮された緊密依存状態をなし、収容部に前記頭部に圧縮変形部が収容された段階では圧縮変形部が弾性復元して拡張状態になり、プランジャーと針保持部が相互に連結する。弾性復元後のフック体と収容部は安定した連結状態を形成するので、プランジャーの引き戻し時に、針装着部１１が共に注射筒内に傾斜状態に収容され、注射器の再使用が防止され安全性が確保される。【選択図】図１
0003123734.tif 000002
【実用新案登録請求の範囲】
【請求項１】
安全な注射器のプランジャー改良構造であって、前記注射器は注射筒と、プランジャーと、針装着部とからなり、
前記注射筒は、中空の筒体で前端に連結挿入部を有し、前記連結挿入部内に前記針装着部の針保持部を結合し、前記針保持部の前端は、注射針を挿設し、後端は収容部を有し且つ前記注射筒後端は指掛部を形成してなり、
前記プランジャーは、前記注射筒内に摺動自在の進退可能に移動されると共に、前端の押圧頭部には一体成型の棒状のフック体を備え、前記フック体は主体部及び前記主体部前端に形成した圧縮変形部を有し、
前記フック体が注射筒内に深く挿入された時、前記圧縮変形部が前記主体部と共に、前記注射筒の前端に形成された前記連結挿入部に装着された針保持部の後端部に設けられた収容部に進入した後、復元して収容部の収容孔内縁部と係合状態となり、前記プランジャーを引抜く時、前記針装着部を前記注射筒内部に引き込むようにしたことを特徴とする安全な注射器のプランジャー改良構造。
【請求項２】
前記収容部は、収容室を有し、この収容室の前部は軸方向前方に形成された導通小孔と連通し、且つ後部には前記フック部挿入用の収容孔が形成されていることを特徴とする請求項１に記載の安全な注射器のプランジャー改良構造。
【請求項３】
前記フック体の主体部の外径寸法は、前記収容部の軸方向先端の導通小孔の内径寸法より若干大きいことを特徴とする請求項２に記載の安全な注射器のプランジャー改良構造。
【請求項４】
軸方向の直交方向からの圧力を受けて圧縮変形するフック体の圧縮変形部は、最大外径寸法が前記収容部の収容孔の内径寸法より若干大きいことを特徴とする請求項２に記載の安全な注射器のプランジャー改良構造。
【考案の詳細な説明】
【技術分野】
【０００１】
本考案は、安全な注射器のプランジャー改良構造に関するものである。
【背景技術】
【０００２】
公知の安全な注射器構造は、主に、針装着部が注射後に、プランジャーの連動により注射筒内部に引き戻される構造である。この種の構造は安全であるが、針装着構造の自損は不可能であり、安全使用の目的が達成されない。
例えば、一般によく見られる椎茸状の頭部形状の前端が、この種の単一効能の構造である。故に、業界では、安全、自損が可能な構造を案出し、重複使用が不可能で、且つ、廃棄時に安全に回収できる構造を確実に達成することが望まれている。
【０００３】
この種の安全注射筒として、台湾特許公告第４４７３１０号が開発されているが、この従来技術構造は、一回の使用だけが可能で、注射筒の前端には爪部を形成し、爪部は連結挿入部に突隆部を形成し、注射針装着部の針保持部の後端に収容孔を形成し、収容孔の端口は環頚部を形成し、プランジャー前端の錘形キャップが環頚部を突破して、収容孔内に挿入される時、係合状態を形成する。更に、錘形キャップ錘面に分布する数個の凸歯と収容孔内の凹歯の相互噛合設計により、使用者は、転動方式で注射針保持部の凸部を爪の噛合から離脱させ、注射針保持部を注射筒体内に引き戻すとともに、錘形キャップ前端の傾斜弾性圧力棒により、注射筒体内に直線状に引き込まれた注射針装着部を、非直線の傾斜状態にして、プランジャーの再進入を阻止して注射器の重複使用が出来なくなるようにしている。
【０００４】
しかし、上述した従来技術は、使用後の注射器が重複使用されないようにするための技術手段であり、注射器が再度使用されないようにすることが達成されるが、全体構造は改善すべき点が幾つかある。
【０００５】
中でも、注射針装着部が筒体の爪を離脱する防止方法として、平直開口から彎曲転出して凸部係合の孔槽を提供し、爪の構造設計は複雑である。更に、注射針保持部は環状の凹歯を設け、プランジャー前端の錘形キャップは環状の凸歯を設けることで相互噛合させ、注射針装着部を共に回転させ、注射針筒から離脱させるようにしているので、注射器の構造が複雑となる。また、構造が複雑なプラスチック射出成型によるもので、注射針筒の製造が困難であり、加工コストも高いので、この設計では市場における競争力がない。
【０００６】
更に、弾性圧力棒が注射筒内に進入する時、偏角の精度を考慮しなければならず、注射筒上縁の内壁面にぶつかって湾曲部が形成され、注射筒内部に進入できない。また、全体の構造から、注射針装着部に傾斜を生成させて、注射器を重複使用出来ないようにする目的を達成するために、錘形キャップの凸歯と注射針装着部内の凹歯の噛合に依存し、錘形キャップ前端の弾性圧力棒により単方向に圧接してなり、これは煩雑で、改善する必要がある。
【特許文献１】台湾特許公告第４４７３１０号
【考案の開示】
【考案が解決しようとする課題】
【０００７】
本考案は、公知の注射針装着部とプランジャーが結合して自損する構造設計が複雑すぎる欠点を改善し、再使用不能な安全注射器の製造を簡略化する解決法を提供することを目的とする。
【課題を解決するための手段】
【０００８】
上述の目的を達成するため、本考案の技術手段は、既存のプランジャーの押圧頭部の成型時に押圧頭部の前端に棒状のフック体を突出させて一体成型する。      
この棒状のフック体の主体部に形成される圧縮変形部は、通常、弾性反発力を有する拡張状態となっており、圧縮変形部が横向き（軸方向に対し垂直方向）に押圧力を受けた時、圧縮変形部は、フック体に密着されて小さく圧縮される緊密形態をなし、針保持部の後端は大きい収容部を形成し、フック体が収容孔を通過する時は、圧縮縮小された緊密状態で通過し、収容部内に圧縮変形部が進入した後は、フック体の圧縮変形部は自身の弾性反発力で弾性復元して拡張状態になり、圧縮変形部の遊端部が収容孔の内縁部に係止されプランジャーと針装着部が相互に連結するようにした。
【考案の効果】
【０００９】
本考案の技術により、公知の注射針装着部とプランジャーが結合して自損する構造設計が複雑すぎる欠点を改善するもので、本考案は、プランジャー前端に弾性復元可能なフック体２３の設計構造により、針保持部の後端に形成された収容部に進入係合させる構成としたので、簡潔な部品でプランジャーが注射針を含む針装着部を連動して注射筒内部に収容し、収容後の注射針は偏移を生成し、２度と使用ができないので再使用不能効果を達成する。
また、本考案は簡潔な構造設計を提供するので、加工困難度を低下させ、よって、注射器の製造コストが効果的に減少される。  
【考案を実施するための最良の形態】
【００１０】
以下本考案を実施するための最良の形態について図面をもとに実施例を説明する。
【実施例】
【００１１】
本考案に係る安全な注射器のプランジャー改良構造にあっては、図１で示されるように、注射筒１０と、プランジャー２０と、注射針３２を有する針装着部３０とからなる。
注射筒１０は中空の筒体に構成され、前端部に連結挿入部１１を形成し、末端部には外方に向けて拡大する指掛部１２を設けてある。前記注射筒１０内部は貫通状の薬液収容用の収容空間となる貫通孔１３を形成し、且つ前記連結挿入部１１内部の開孔の孔壁面には環状の凸部１４が形成されており、前記針装着部３０の針保持部３１を挿入する時の位置決め部及び結合補強となる。
【００１２】
前記プランジャー２０は、指掛部１２開口方向から注射筒１０内に嵌合挿入し、貫通孔１３内を軸方向に摺動自在の進退可能に往復移動する。前記プランジャー２０の後端部にはプランジャー２０の外径及び前記貫通孔１３より若干大きい径寸法を有する押圧部２１を形成してあり、前端部には押圧頭部２２が形成され、押圧頭部２２前端部には、一体成型による棒状のフック体２３が突設されている。前記フック体２３は棒状の主体部２３１及び弾性反発力を持たせ圧縮変形部２３２からなる。前記主体部２３１と圧縮変形部２３２との間には、隙間部２３３が設けられ、通常は、末端部が外方に拡張状態をなしている。
【００１３】
前記主体部２３は、押圧頭部２２から軸方向の先端外方に一体に延伸形成してなり、前記圧縮変形部２３２は、前記主体部２３１の頂端近傍に頂端から後端方向に傾斜して切り起こした弾性反発力を持つ構成となっている。そして、圧縮変形部２３２及び主体部２３１との間の隙間部２３３は、圧縮変形部２３２が横向け（軸方向に対し垂直方向）の押圧力を受けた状態で押圧変形される。
【００１４】
前記針装着部３０は、針保持部３１及び注射針３２を有し、針保持部３１は円形ブロックで、外周面の所定位置には環状の凹部３１１が形成され、前記連結挿入部１１の環状の凸部１４に位置決めされる。そして、前記針保持部３１の前端には注射針３２の基部が装着され、後端には、前記フック体２３が進入する収容部３４を有する収容孔３３が設けられている。
【００１５】
図２、図３で示されるように、収容部３４は半円弧形状の収容室を有し、前端に軸方向に伸びて導通する小孔を有し、後端には前記収容部３４の収容室内に連通する収容孔３３を有し、収容孔３３の内径寸法幅は、前記圧縮変形部２３が主体部２３１側に圧縮状態に変形された状態で、フック体２３の進入を許容する内径寸法となっている。
そして、前記収容孔３３をフック体２３が通過する状態では、図３で示されるように、前記圧縮変形部２３が主体部２３１側に圧縮状態に変形され、収容孔３３に進入収容された時には、前記収容部３４の収容室内で圧縮変形部２３２の圧縮が解消され外方に拡張状に復元する。
【００１６】
図４で示されるように、収容部３４内部の収容室空間は収容孔３３より広く、収容部３４内に収容されたフック体２３の圧縮変形部２３２が横向きの押圧力を失って、圧縮変形部２３２の遊端部は隙間をもつように弾性復元し、主体部２３１から拡張状態になる。プランジャー２０が注射筒１０より引抜かれる時、フック体２３の圧縮変形部２３２の遊端部と収容部３４の収容孔３３の内縁部が互いに係合する。
【００１７】
通常状態のフック体２３は、圧縮変形部２３２が主体部２３１に相対して外方に拡張状態をなし、収容部３４内に進入する時、圧縮変形部２３２は丁度、収容部３４の収容孔内縁部の壁面に係止され、針保持部３１の一側に対し、偏向力を生成する。
【００１８】
図５で示されるように、プランジャー２０が後部外方に引抜かれる時、前端のフック体２３は、前記針保持部３１の収容部３４の収容孔内縁部とフック係合し、針保持部３１はプランジャー２０が外方に引かれて、連結挿入部１１が注射筒１０内に引き込まれ脱離するのに伴い、針保持部３１は、連結挿入部１１の挟持装着を脱離すると、フック体２３は、針保持部３１一側に偏向力を施し、注射筒１０内に引き戻される針装着部３０を自動的に偏移させ、これにより、プランジャー２０が再度進入される時、注射針構造が破壊され、重複使用のための回収ができなくなる。また、プランジャー２０が針保持部３１の収容部３１と脱離せず、これにより、注射器１が重複使用できなくなる。
【００１９】
本考案は、プランジャー２０前端に弾性復位可能なフック体２３の設計により、針保持部３１の後端に形成された収容部３４に進入係合させる構成としたので、簡潔な部品でプランジャー２０が注射針３２を含む針装着部３１を連動して注射筒内部に収容し、収容後の注射針は偏移を生成し、二度と使用ができないので自滅効果を達成する。
本考案は簡潔な構造設計を提供するので、加工困難度を低下させ、よって、注射器の製造コストが効果的に減少される。
【００２０】
また、注意すべきことは、フック体は、フック体と押圧頭部を分離製造して接合することができるが、この方法を採用すると、プランジャーの設計構造の困難度が増加し、且つ、フック体と押圧頭部は相互挿接方式を採用しているため、フック体が注射針を引き戻す時にフック体を離脱する現象が生じやすいので、本考案では射出成形方式で一体成型し、上述の問題をも解決する。
【００２１】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００２２】
【図１】本考案の安全な注射器のプランジャー改良構造の実施例を示す分解斜視図である。
【図２】本考案の安全な注射器のプランジャー改良構造の実施例における注射器のプランジャーの作動関係を示す断面図である。
【図３】本考案の安全な注射器のプランジャー改良構造の実施例における注射器のプランジャーの作動関係を示す断面図である。
【図４】本考案の安全な注射器のプランジャー改良構造の実施例における注射器のプランジャーの作動関係を示す断面図である。
【図５】本考案の安全な注射器のプランジャー改良構造の実施例における注射器のプランジャーの作動関係を示す断面図で、プランジャーが針装着部を連動して注射筒内に収納し傾斜させ、再使用不能状態にした断面図である。
【符号の説明】
【００２３】
１０…注射筒
１１…連結挿入部
１２…指掛部
１３…収容孔
１４…環状の凸部
２０…プランジャー
２１…押圧部
２２…押圧頭部
２３…フック体
２３１…主体部
２３２…圧縮変形部
２３３…隙間
３０…針装着部
３１…針保持部
３１１…環状の凹部
３２…注射針
３３…収容孔
３４…収容部
【図１】
0003123734.tif 000003
【図２】
0003123734.tif 000004
【図３】
0003123734.tif 000005
【図４】
0003123734.tif 000006
【図５】
0003123734.tif 000007